(57)【要約】【課題】本発明は、インサート座を有する基体と、インサート座に固定される刃先交換可能な切削インサート（２）とを備える穴形成工具に関する。【解決手段】一対の協働可能な雌状及び雄状固定手段（３０，３３）がインサート座の接線方向支持面（１９）と切削インサートの下面（１３）との間の界面に配置され、雌状固定手段（３０）は、細長いガイド面（３１）を含み、径方向支持面（21）に対して鋭角で延びると同時に軸方向支持面（20）からの方向で径方向支持面に近づく。雄状固定手段（３３）はガイド面（３１）から間隔をあけており、かつ、切削インサートが切削力によって軸方向及び径方向支持面（２０，２１）に押しつけられた状態にある限り、２つの固定手段の間に間隙を形成する。【選択図】図６
2013146855.tif 000002
【特許請求の範囲】
【請求項１】
穴形成工具であって、
一方において、接線方向支持面（１９）と、軸方向支持面（２０）と、工具の中心軸（Ｃ１）に最も近い径方向支持面（２１）とによって区画形成されるインサート座（７）を有する基体（６）を備え、
他方において、上面（１２）と、下面（１３）と、複数の側方接触面（１４）とを有する交換可能な切削インサート（２）を備え、
切削インサート（２）は締め付け部材（２６）によってインサート座内に固定され、締め付け部材は切削インサートの下面（１３）を接線方向支持面（１９）に押しつけた状態にし、２つの側方接触面（１４）が軸方向及び径方向支持面（２０，２１）に押しつけられた状態で切削インサートを保持する穴形成工具において、
インサート座の接線方向支持面（１９）と切削インサートの下面（１３）との間の界面が一対の雄状及び雌状固定手段を含み、雌状固定手段は、細長いガイド面（３１）を含み、径方向支持面（２１）に対して鋭角（β）に延び、かつ、軸方向支持面（２０）からの方向で径方向支持面（２１）に近づき、雄状固定手段（３３）はガイド面（３１）から間隔をあけており、かつ、切削インサートが切削力によって軸方向及び径方向支持面（２０，２１）に押しつけられた状態にある限り、２つの固定手段の間に間隙（Ｇ）を形成することを特徴とする穴形成工具。
【請求項２】
雌状固定手段（３０）が切削インサート（２）の下面（１３）に形成され、他方、雄状固定手段（３３）はインサート座（７）の接線方向支持面（１９）に含まれることを特徴とする請求項１に記載の穴形成工具。
【請求項３】
雄状固定手段はインサート座（７）の接線方向支持面（１９）から突出する細長い隆起部（３３）であることを特徴とする請求項２に記載の穴形成工具。
【請求項４】
雄状固定手段は接線方向支持面（１９）から突出する支柱（３３）であることを特徴とする請求項２に記載の穴形成工具。
【請求項５】
雄状固定手段は接線方向支持面（１９）に開口しているさら穴（３７）に装着される挿入部材であることを特徴とする請求項３又は４に記載の穴形成工具。
【請求項６】
切削インサートがインサート座の軸方向及び径方向支持面（２０，２１）に押しつけられているとき、固定手段（３０，３３）の間の間隙（Ｇ）は高々０．２５ｍｍであることを特徴とする請求項１〜５のいずれか一項に記載の穴形成工具。
【請求項７】
雌状固定手段のガイド面（３１）とインサート座の径方向支持面（21）の間の角度（β）は少なくとも２０°かつ高々７０°であることを特徴とする請求項１〜６のいずれか一項に記載の穴形成工具。
【請求項８】
切削インサート（２）の下面（１３）とインサート座（７）の接線方向支持面（１９）の間の界面が、協働可能な雌状及び雄状固定手段の第１の対（３０，３３）だけでなく、径方向支持面（２１）と第１の対（３０，３３）の間にある第２の対（３０，３６）も含むことを特徴とする請求項１〜７のいずれか一項に記載の穴形成工具。
【請求項９】
基体は工具ヘッド（１）に着脱可能に装着されるカセット（６）であることを特徴とする請求項１〜８のいずれか一項に記載の穴形成工具。
【発明の詳細な説明】
【技術分野】
【０００１】
本発明は穴形成工具に関し、詳しくは、一方で、接線方向支持面、軸方向支持面、及び工具の中心軸に最も近く位置する径方向支持面によって画定されるインサート座を有する基体を備え、他方で、上面と下面と複数の側方接触面とを含む刃先交換可能な切削インサートを備え、締め付け部材は切削インサートの下面をインサート座の接線方向支持面に、２つの側方接触面を軸方向支持面及び径方向支持面に押しつけて、切削インサートは締め付け部材によってインサート座に固定される。
【背景技術】
【０００２】
孔の形成又は穿孔は、一般に、切削又は切り屑除去工具によって被削材の円筒状の孔を深めてゆくためのすべての方法を含む。浅い孔の穿孔と深い孔の穿孔の他に、現在の技術はまた、リーミング、座ぐり、及びいろいろな形の仕上げも含む。本発明が適用されるいろいろな穴形成工具に共通することは、回転運動が線状又は直線的な送りと組み合わされることである。例えば、ドリルは静止している被削材を加工するときに回転すると同時に直線的に移動する。工具と被削材の間の必要な相対運動は、別の仕方でも、例えば被削材を回転させると同時に工具を長手方向に送ることによっても実現できる。ある種の作業、例えば孔ぐりでは、工具は予め開けられた孔に通され、孔を通って戻すことは意図されない。別の作業では、工具を孔に持ち込むことも孔から引き出すことも意図される。しかし、最初の場合でも、加工された孔を通して工具を引き出すことが必要になるかもしれない。工具を孔から引き出すことが意図したものか意図しないものかに関わりなく、孔の周囲の表面が周縁に位置している切削インサートによって傷つけられる危険がある限り問題がある。ときには、工具を孔から引き出すのが困難であることがある。孔の表面への損傷は一般に望ましくない。最悪の場合、そのために高価な製品が不良品になってしまうこともある。
【０００３】
特許文献１及び２（２０１０年１２月２６日出願、しかしまだ公開されていない）では、リーミング工具の２つの穴形成工具が開示されており、その基体と切削インサートには一対の協働する雄状及び雌状の固定手段が形成され、切削インサートが軸方向に働く切削力によって工具の基体の所属するインサート座に密着して押しつけられている限りそれらは互いに接触しないが、工具の軸方向の運動の逆転に伴って切削インサートと軸方向支持面との間に間隔が損するとそれらはすぐに作動する。もっと詳しく言うと、この固定手段は、切削インサートがインサート座にしっかりと固定されている限り０．１〜０．２ｍｍの間隙又は遊びがそれらの間に保たれるように形成されている。もしも何か問題が起こって工具を加工された孔から引き出すことが必要になった場合。切削インサートが軸方向に０．１〜０．２ｍｍ動くきわめて短い時間に固定手段が作動し、固定手段は切削インサートをインサート座に固定するための締め付け部材、例えばねじ、を解除する。しかし、開示された工具の固定手段は切削インサートがインサート座から外れる軸方向変位に対抗することだけを意図したものであって、切削インサートが径方向に動いてインサート座から外れることを防ごうとしていない。固定手段が一般に切削インサートがインサート座にとどまることを保証していても、それは切削インサートが径方向に外向きに動くことを防ぐ又はそれに対抗するものではない。このため、形成された孔の表面にひっかき傷やその他の損傷が生ずる可能性がある。
【先行技術文献】
【特許文献】
【０００４】
【特許文献１】スウェーデン王国特許出願ＳＥ１０５１３７７―８号明細書
【特許文献２】スウェーデン王国特許出願ＳＥ１０５１３７８−６号明細書
【発明の概要】
【発明が解決しようとする課題】
【０００５】
本発明は、穴形成工具であって、孔の表面を損傷することなく、また後退を困難にすることなく、工具を孔から逆進又は後退させる性能を向上させた穴形成工具を提供することを目的とする。したがって、本発明の第１の目的は、穴形成工具であって、周縁に装着されるひとつ以上の切削インサートを有し、それが工具の動きの方向の逆転に関連して切削インサートをインサート座から軸方向に引き出そうとする力、及び切削インサートをインサート座の径方向支持面から離そうとする力、に対して信頼できる仕方で抵抗する穴形成工具を提供することである。また、シンプルで安価に製造できる穴形成工具を提供することも本発明の目的である。ある特別な様態で、本発明は、切削インサートだけでなく所属するインサート座が損傷しても長い使用寿命を有する穴形成工具を提供することを目的とする。言い換えると、切削インサートのインサート座がこわれても工具の全体を廃棄する必要がなくなる。
【課題を解決するための手段】
【０００６】
本発明によれば、少なくとも第１の目的はインサート座の接線方向支持面と切削インサートの下面との界面に一対の雄状及び雌状固定手段を形成し、その雌状のものが細長いガイド面を含み、それが径方向支持面に対して鋭角で延び、かつこれに軸方向支持面の方向から近づき、雄状固定手段はこのガイド面から間隔をあけて、切削インサートが切削力によって軸方向及び径方向支持面に押しつけられた状態にある限り２つの固定手段の間に遊びが形成されるようにすることで達成される。
【０００７】
上述のような構成によって、工具の送り方向が逆転されることがあっても、切削インサートは径方向支持面から間隔があくようなことがなく、ひっかき傷をつけたり、その他の仕方で生成した孔の表面を損傷したりしないことが保証される。
【０００８】
本明細書において、「雄状固定手段」及び「雌状固定手段」という表現は、雄-雌タイプの固定手段、言い換えると、突出した細部が、凹みや、孔や、などそれに適合するものと協働する固定手段に関する。一対の雄状-雌状固定手段は、個別雌部材と協働する個別雄部材を備えることもあるが、各雄状固定手段がいくつかの雄の細部を含みそれらがひとつ以上の雌の細部と協働することもあり得る。
【０００９】
ある実施形態では、雌状の固定手段は切削インサートの下面に形成され、雄状の固定手段はインサート座の接線方向支持面に含まれる。この実施形態の利点は、切削インサートの製造、並びに切削インサートのためのインサート座の製造が容易になるということである。厳しい技術的理由により、切削インサートに雄状の隆起を形成するより雌状の皿穴を形成する方が切削インサートは強度が大きくなる。
【００１０】
ある実施形態では、雄状の固定手段は細長い隆起部になる。こうすると、工具の送り方向が逆になったときの切削インサートに対する堅牢なストップ面が得られる。
【００１１】
ある実施形態では、固定手段は接線方向支持面から突出し、ガイド面に面で接触するのでなく線で接触するする支柱である。こうすると、不十分な許容誤差によって固定手段の機能が妨げられる危険がなくなる。
【００１２】
さらに、雄状固定手段が隆起部であるか支柱であるかに関わりなく、雄状固定手段を、接線方向支持面に開口する皿穴に取り付けることができる挿入部材（inset）という形で形成することも可能である。こうすると、基体のおけるインサート座の製造が容易になると同時に、雄状固定手段と基体で、それぞれ、異なる材料、特に異なる等級の鋼を使用することができる。例えば、雄状固定手段を基体の鋼よりも硬い鋼で製造することができる。
【００１３】
本発明のある好ましい実施形態では、協働する固定手段は遊びを含むように形成され配置され、この遊びは、切削インサートがインサート座の軸方向及び径方向支持面に押しつけられるとき高々０．２５ｍｍになる。好適には、この遊びは０．０３〜０．２ｍｍの範囲にある。こうすると、工具の送りの逆転の結果として切削インサートの締め付け装置に厄介な曲げ荷重がかかった後きわめて速やかに固定手段の隠れた固定機能が作動する。
【００１４】
別の実施形態では、雌状固定手段のガイド面とインサート座の径方向支持面の間の角度が少なくとも２０°、高々７０°のある値に選ばれる。こうすると、一方において、固定手段が作動した後に切削インサートが径方向支持面にかなりの力で押しつけられ、他方において、固定手段の作動が最適スピードで起こることが保証される。
【００１５】
本発明のある実施形態では、切削インサートの下面とインサート座の接線方向支持面の間の界面に、雌状及び雄状固定手段の第１の対だけでなく、径方向支持面と第１の対の間に位置する第２の対も形成される。こうすると、切削インサートが径方向支持面に確実に押しつけられるだけでなく、軸方向支持面からの切削インサートの軸方向変位も効率的に防止できることが保証される。
【００１６】
インサート座が形成される基体は工具ヘッドに着脱可能に装着される別のカセットであってよい。インサート座が切削インサートと共に損傷された場合でも、工具ヘッドの全体を取り替える必要はなく、カセットだけを交換すればよい。
【図面の簡単な説明】
【００１７】
【図１】ただひとつの外周切削インサートを有するリーマーの形の穴形成工具を示す斜視図である。
【図２】図１の工具を正面から見た端面図である。
【図３】切削インサートのためのインサート座を有するカセットの形で工具に含まれる基体を示す分解斜視図であり、脱離した切削インサートを鳥瞰図だけでなく虫瞰図でも示している。
【図４】付属するインサート座に装着された切削インサートを示す上からの平面図である。
【図５】インサート座だけを示す立面図である。
【図６】インサート座を鳥瞰図で、切削インサートを虫瞰図で示す拡大分解図である。
【図７】図５の面ＸＩＩ−ＸＩＩに位置する切削インサートとインサート座の界面を通る拡大断面図であり、固定手段が最初の位置で互いから離れているのが見られる。
【図８】図７に対応する断面図であり、固定手段が互いに接触しているのが見られる。
【図９】図６に対応する分解図であり、本発明の別の実施形態を示している。
【発明を実施するための形態】
【００１８】
図１と２には、ヘッド１と刃先交換可能な切削インサート２を含むリーマーの形の穴形成工具が示されている。ヘッド１は前端と後端３，４を含み、その間に中心軸Ｃ１が延び、回転対称な包絡面５がそれと同心であり、必要ならばヘッドはその軸上で回転させることができる。ヘッド１にはカセット６が着脱可能に結合され、カセット内に切削インサートのためのインサート座７が形成されている。包絡面５に凹みとして設けられヘッドの前端に開いているポケット８に挿入部材６が取り付けられる。挿入部材はボルト９によってポケットに固定されて保持される。図１と２で、一対の支持及びガイドパッド１０，１１が単独の切削インサート２から接線方向（外周方向）に間隔をあけて位置し、切削インサートと共に（予めあけられた）孔のリーミングの際に工具の３点支持となることが見られる。これは、図２の円形の点鎖線によって示されている。図１で、Ｆ１とＦ２は、それぞれ、前方及び後方への工具の送り方向を示している。
【００１９】
例示された実施形態では、カセット６が基体を形成し、そこに切削インサートのためのインサート座７が形成される。しかし、カセットを省略してインサート座を直接ヘッド１に形成し、ヘッドをインサート座のための基体とすることも可能である。
【００２０】
次に、図３〜６を参照すると、そこでは実施例の切削インサート２が六角形の基本形を有し、上面１２，下面１３，及び６つの側面１４，１５を含み、そのうちの３つ、すなわち面１４が接触表面を形成していることが見られる。切削インサートは、刃先交換可能であり、切れ刃を上面の周縁にのみ含むことによって片面仕様になっていることが見られる。もっと詳しく言うと、切削インサート２は、３つのかわるがわる使用できる切れ刃１６を含み、それは上面と側面１４との移行部分に形成される。作業時には、前記側面が逃げ面となる。それぞれの切れ刃の間に延びる１７で表される縁の部分は切り屑除去のときには働かない。詳しく言うと、図４で１７aと表される縁の部分は、そのときに作用している有効切れ刃１６aによって生成される円筒状の孔表面から引っ込んでいる。作用している有効切れ刃１６aと作用していない縁部分の間のコーナー１８に、小さな第２の切れ刃又はワイパーエッジ（符号なし）を好適に形成して、形成された表面をそれでさらう（仕上げる）ことによって表面に最適な滑らかさを付与するという目的に役立たせることができる。完全を期して、上面と個々の逃げ面１４との間の角度は鋭角（ほとんどの場合８０〜８３°の範囲内）であるから、切削インサートはポジティブの切削幾何形状を有するということを指摘しておきたい。
【００２１】
切削インサートのインサート座６は（図６参照）、３つの支持面によって、すなわち、接線方向支持面１９，軸方向支持面２０及び径方向支持面２１によって区画形成される。これらの名称に見られるように、支持面１９は加工時に切削インサートに作用する接線方向の切削力を担持するという目的があり、支持面２０は軸方向の切削力を、支持面２１は径方向の切削力を担持するという目的がある。接線方向支持面１９は平面であってインサート座の底面を形成するが、支持面２０，２１はインサート座の側面に含まれる。実施例では、各軸方向及び径方向支持面は２つの部分表面を含み、それらが凹み２２，２３によって隔てられている。接線方向支持面１９には、雌ねじ溝２５を有する孔２４が開口している。
【００２２】
インサート座に切削インサートを固定するために、ヘッド２７と雄ネジ溝２８を有するねじ２６の形の締め付け装置が用いられる（図３参照）。このねじを切削インサートの孔２９に通して孔２４に締め付けることができる。ねじをスプリングで付勢することによって、ねじは、切削インサートの下面を接線方向支持面１９に押しつけるだけでなく、２つの逃げ面１４を軸方向及び径方向支持面２０，２１に押しつけることもできる。
【００２３】
工具が矢印Ｆ１で表される方向に前方へ送られるとき（図１参照）、切削インサート２には切削力がかかり、それが切削インサートをインサート座７のすべての支持面１９，２０，２１に固定する。この状態では、ねじ２６の保持効果は無視できる程度である。実際、ねじは切削インサートをインサート座に保持することに限定される。
【００２４】
しかし、工具を矢印Ｆ２の方向に孔から引っ込めることが必要になると、切削インサートが（例えば、摩擦又はひっつきによって）孔の壁に引っかかったりすると、切削インサートに力がかかり、それは一方において切削インサートをインサート座から軸方向に引き出そうとするが、他方においてねじ２６の作用に抗してインサート座から径方向に引き出そうとする。この状態では、ねじだけが切削インサートをインサート座に固定するが、その曲げこわさは大きくないので、特に切削インサートとねじの寸法が小さいときには大きくないので、切削インサートがインサート座から外れることがある。ほんの少しの径方向の動きでも、切削インサートは生成された表面を引っかく、又はその他の仕方で傷つける可能性がある。
【００２５】
本発明によれば、上述の問題を解決するために、切削インサートの下面とインサート座の接線方向支持面の間の界面に、一対の協働する固定手段が配置され、その一方は略雌状であり、他方は雄状である。これらの固定手段について以下でさらに詳しく説明する。
【００２６】
図６に最もよく見られるように、切削インサートの下面１３に、３つの溝３０が形成され、それらは共通の孔２９から切削インサートの周縁まで延びており、そこで個々の溝はそれぞれ逃げ面１４に開く。このように、溝の数は使用できる切れ刃の数に対応する。各個別の溝３０は所属する逃げ面１４に直角に延びていることを注意しておきたい。個々の溝の断面形状は図７と８に最もよく見られる。すなわち、溝は２つの本質的に平面である側面３１a、３１ｂによって限られ、それらは互いに対して鈍角を成し、アーチ面３２によって互いに移行する。切削インサートの割り出し位置によって、溝３０のそれぞれがインサート座に形成され接線方向支持面１９から突出し軸方向支持面２０に直角に延びる隆起部３３と協働することができる。上記隆起部３３が、溝３０のひとつの形の雌状固定手段と協働可能な雄状固定手段となる。隆起部３３は２つの平行な側面３４，３５を含み、その後者が接線方向支持面１９と９０°の角度を成し、前者は、溝の側面３１a、３１ｂが切削インサートの下面１３に対して傾斜するのとほぼ同じ角度で接線方向支持面１９に対して傾斜する。隆起部の幅は溝の幅よりもかなり小さいことを注意しておきたい。
【００２７】
図５で、軸方向支持面と径方向支持面２０，２１の間の角度は、この場合、切削インサートの使用できる切れ刃１６の間の角度が正確に６０°なので、この角度も６０°になることが分かる。隆起部３３が軸方向支持面２０に対して直角に延びているので、これは径方向支持面２１と３０°の角βを成す。これに関連して、径方向支持面２１は工具の中心軸Ｃ１と正確に平行には延びていないことを指摘しておきたい。すなわち、径方向支持面２１は後方／内側方向に小さな角度（数分又は秒）を成し、インサートの周縁１７と生成された孔の表面の間にクリアランスを作り出している。
【００２８】
図５と６で、さらに前述の隆起部３３の他にインサート座７が第２の隆起部３６を含み、それが径方向支持面２１に対して直角に延び、それが隆起部３３のように切削インサートの３つの溝のひとつと協働することができることが見られる。
【００２９】
工具を矢印Ｆ１の方向に送ることに関連して切削インサートがインサート座のすべての支持面に固定されて保持される限り、隆起部３３も隆起部３６も所属する溝３０の側面と接触することはない。もっと詳しく言うと、隆起部の側面３４は溝の側面３１aから小さな間隙Ｇによって隔てられている。この間隙の大きさはいろいろであるが０．０３〜０．２ｍｍの範囲内になければならず、高々０．２５ｍｍである。言い換えると、個々の隆起部及び所属する溝は工具が前方に送られるときには互いに係合しない。
【００３０】
切削インサートが、矢印Ｆ２の方向に工具が引き戻されることに関連して孔の壁に引っかかる場合、切削インサートは、軸方向支持面２０並びに径方向支持面２１から切削インサートを引き離そうとする力を受ける。これらの力は、最初はねじ２６によって担持される。しかし、ねじが曲がってこれらの力に降伏すると、少なくとも第１の固定手段の対、すなわち隆起部３３と溝３０とが互いに作用する。すなわち、図８に示されるように、溝の側面３１ａが隆起部の側面３４と接触するようになる。それによって、側面３１ａは隆起部に沿って動くことができるガイド面として働く。溝３０が径方向支持面２１に押しつけられる逃げ面１４と３０°の角βを成すことによって、面１４と面２１とが互いに接触するようになるとこの動きは止まる。言い換えると、図８に示された状態での面３１ａと３４の相互作用は切削インサートを径方向支持面２１に押し込むようになる。これはさらに、切削インサートを軸方向支持面２０から引き離そうとする動きも止まるということを意味する。
【００３１】
傾斜した隆起部３３の他に、追加の予防手段として第２の隆起部３６が配置されており、そのストッピング側面３４は溝の側面３１ｂと協働するように後方に向いている。しかし、第２の隆起部３６のストップ面と溝の側面の間の間隙は、隆起部３３とそれと協働する溝の間の間隙Ｇより少し大きい。こうして隆起部３６のストップ機能が、隆起部３３のストップ機能が働いた少し後に働くことが保証される。言い換えると、隆起部３３が最初に切削インサートを径方向支持面に押し込み、その後で隆起部３６が切削インサートの軸方向の動きに対して追加の安全を保証する。少なくとも最初に述べた固定手段によって締め付けねじ２６は発生する曲げ荷重から解放され、それによりねじが切削インサートを接線方向支持面１９に押しつけることができる限り、切削インサートはシートの中の固定位置に保持される。切削インサートが径方向支持面に押しつけられ続けることによって、切削インサートの周縁コーナー１８が生成された孔の壁を引っかいたり、その他の仕方で傷つけたりする危険は排除される、又はそれに対抗できる。
【００３２】
次に図９を参照すると、本発明の別の実施形態がそこに示されており、そこでは雄状の固定手段は隆起部ではなく支柱３３である。この支柱は孔２４のわきに、もっと詳しく言うと、孔２４と軸方向支持面２０との間のエリアに、位置している孔３７にクランプされることによってインサート座の中で固定される。前述の実施形態と同様、切削インサート２は３つの溝３０を含み、そのひとつの細長いガイド面３１ａを介して支柱３３と協働する。
【００３３】
図９による実施形態の利点は、インサート座７の形成が容易になり、さらにより効果的になるということである。前述の実施形態における２つの突出する隆起部３３，３６を残しながら接線方向支持面１９をフライス加工する代わりに、単純な面フライス削りによってこの支持面が得られ、その後で孔３７が簡便なドリル作業によって作られる。さらに別の挿入部材として作られる支柱３３は基体６と別の材料から製造することができる。例えば、基体６と支柱３３は、支柱に用いられる鋼が基体の鋼よりも硬い２つの異なる等級の鋼で製造できる。これに関連して、完全を期して、切削インサート２は基体の材料よりもかなり硬く、摩耗しにくい材料から製造されるということを指摘しておきたい。特に、切削インサートには超硬合金が、基体には鋼が好ましい。
【００３４】
例示された実施形態では、切削インサートを径方向支持面に対して３０°の角で保持するためにガイド面が雄部材と協働する溝に延びている。図５でβと表されているこの角度は、しかし、上方にも下方にも変わり得る。実際、βは少なくとも２０°そして高々７０°になる。切削インサートが３枚刃又は４枚刃なら、βはそれぞれ３０°及び４５°となるであろう。
（発明の可能な変更）
【００３５】
本発明は、上で説明し図面で示された実施形態だけに限定されない。すなわち、本発明はリーマーだけでなく、他の穴形成工具にも適用できる、ただし工具は、工具の周縁に装着できる交換可能な切削インサートを含むものでなければならない。例えば、本発明は交換可能なインサートドリルの外周切削インサートにも適用できるであろう。また、切削インサートは多角形の基本形状を有する必要はなく、丸い切削インサートとそれが所属するインサート座に、上述した種類の協働する雌状及び雄状固定手段のひとつ以上の対をそれぞれ形成することができる。例示した工具では、雄状固定手段がインサート座に含まれ、雌状固定手段が切削インサートに含まれるが、逆の関係も可能である、すなわち雄状の固定手段が切削インサートの下面に形成され、傾斜したガイド面を含む雌状固定手段がインサート座の接線方向支持面に形成されてもよい。支柱以外の別の雄状固定手段が、インサート座の接線方向支持面の凹みに固着される別の挿入部材として形成されてもよい。言い換えると、図示された隆起部は基体と一体で作られる必要はない。完全を期して、工具のインサート座（単数又は複数）は工具ヘッドに直接形成し、後者が工具の基体にすることもできるということを指摘しておきたい。さらに、本発明は、切削インサートを保持するためにねじ以外の締め付け装置を含む工具にも適用できる。例えば、切削インサートはクランプなどを用いて固定することもできる。
【００３６】
終わりに、以下の特許請求の範囲において、工具は組み立てられた状態で、すなわち切削インサートをインサート座に固定した状態で定義されていることを指摘しておきたい。
【符号の説明】
【００３７】
１    ヘッド
２    切削インサート
３    前端
４    後端
５    包絡面
６    カセット（挿入部材）
７    インサート座
８    ポケット
１０．１１    ガイドパット
１２    上面
１３    下面
１４，１５    側面（逃げ面）
１６    切れ刃
１９    接線方向支持面
２０    軸方向支持面
２１    径方向支持面
【図１】
2013146855.tif 000003
【図２】
2013146855.tif 000004
【図３】
2013146855.tif 000005
【図４】
2013146855.tif 000006
【図５】
2013146855.tif 000007
【図６】
2013146855.tif 000008
【図７】
2013146855.tif 000009
【図８】
2013146855.tif 000010
【図９】
2013146855.tif 000011
【外国語明細書】
2013146855000001.pdf